(57)【特許請求の範囲】
【請求項１】
基準色と少なくとも１つの測定するべき測定色とを同時に表示装置に表示する色表示手段と、
前記表示装置上の基準色及び測定色の両方の表示を測定する測色手段と、
該測色手段で測定された基準色と測定色とに基づいて該表示装置のプロファイルを生成するプロファイル生成手段
を備え、
前記プロファイル生成手段は、前記測色手段で測定された基準色及び測定色の輝度の測定値の比に基づいて前記表示装置のプロファイルを生成する、情報処理装置。
【請求項２】
前記プロファイルを格納する格納手段を更に備えた、請求項１記載の情報処理装置。
【請求項３】
前記色表示手段は、前記基準色及び前記測定色の表示位置を切り替えて前記表示装置上の所定位置に表示する制御手段を含む、請求項１又は２記載の情報処理装置。
【請求項４】
前記基準色は、前記測定色の変更にかかわらず一定である、請求項１〜３のいずれか１項記載の情報処理装置。
【請求項５】
コンピュータに画像を表示させるプログラムを格納したコンピュータ読み取り可能な記憶媒体であって、該プログラムは該コンピュータを、
基準色と少なくとも１つの測定するべき測定色とを同時に表示装置に表示する色表示手段と、
前記表示装置上の基準色及び測定色の両方の表示を測定する測色手段と、
測定された基準色と測定色とに基づいて該表示装置のプロファイルを生成するプロファイル生成手段
として機能させ、
前記プロファイル生成手段は、前記測色手段で測定された基準色及び測定色の輝度の測定値の比に基づいて前記表示装置のプロファイルを生成する、記憶媒体。
【請求項６】
該プログラムは、該コンピュータを更に前記プロファイルを格納する格納手段として機能させる、請求項５記載の記憶媒体。
【請求項７】
前記色表示手段は、前記基準色及び前記測定色の表示位置を切り替えて前記表示装置上の所定位置に表示する、請求項５又は６記載の記憶媒体。
【請求項８】
前記基準色は、前記測定色の変更にかかわらず一定である、請求項５〜７のいずれか１項記載の記憶媒体。
【請求項９】
入力色信号に対応する表示装置の表示特性を補正するプロファイルデータを作成するプロファイルデータ作成方法であって、
前記表示装置の同一画面上に、基準色となる基準色票と、前記基準色票とは異なる色の測定色票とを表示するステップと、
前記画面上から測定された前記基準色票の輝度の測定値と前記測定色票の輝度の測定値との比を算出するステップと、
前記算出された測定値の比に基づいてプロファイルデータを作成するステップとを含む、プロファイルデータ作成方法。
【請求項１０】
前記表示するステップは、前記基準色票と前記測定色票とを同一の表示面積で表示する、請求項９記載のプロファイルデータ作成方法。
【請求項１１】
測色しようとする前記基準色票又は前記測定色票を前記画面の特定位置に移動させるステップを更に含み、前記算出するステップは、前記特定位置に移動された色票の測定値に基づいて、前記基準色票の測定値と前記測定色票の測定値との比を算出する、請求項９又は１０記載のプロファイルデータ作成方法。
【請求項１２】
前記基準色は、前記測定色の変更にかかわらず一定である、請求項９〜１１のいずれか１項記載のプロファイルデータ作成方法。
【発明の詳細な説明】
【０００１】
【発明の属する技術分野】
本発明は情報処理装置、プロファイルデータ作成方法、表示装置及び記憶媒体に係り、特に表示装置のプロファイルを生成するのに適した情報処理装置、プロファイルデータ作成方法及び表示装置並びにコンピュータに表示装置のプロファイルを生成させるのに適したプログラムを格納したコンピュータ読み取り可能な記憶媒体に関する。
【０００２】
高性能なパーソナルコンピュータの普及及びスキャナやカラープリンタ等の画像入出力機器の低価格化により、業務用に限らず個人でもカラー画像を処理する機会が増えてきた。そして、カラー画像を処理する機会が増加するにつれ、色の再現性が問題となってきた。つまり、原画像と表示装置の表示画面上に表示された画像又はプリンタにより印刷された画像とでは、画像の色を同じように再現できないという問題があった。これは、異なる入出力機器では、発色機構や色再現域等の色特性が異なるためである。
【０００３】
カラーマネージメントシステム（ＣＭＳ：Ｃｏｌｏｒ  ＭａｎａｇｅｍｅｎｔＳｙｓｔｅｍ）は、異なる入出力機器の色の見え方を合わせる技術である。ＣＭＳを用いることで、スキャナで読み込んだ画像と表示装置に表示した画像とで色の見え方を一致させたり、更にプリンタで印刷した画像の色の見え方もスキャナで読み込んだ画像や表示装置に表示した画像と一致させることができる。このように、ＣＭＳを用いると、画像に対する違和感をユーザに感じさせないシステムを構築できる。
【０００４】
近年では、例えばＷｉｎｄｏｗｓ９５のＩＣＭ（Ｉｍａｇｅ  Ｃｏｌｏｒ  Ｍａｔｃｈｉｎｇ）１．０やＭａｃｉｎｔｏｓｈのＣｏｌｏｒＳｙｎｃ２．０（いずれも商標）のように、オペレーティングシステム（ＯＳ）のレベルでＣＭＳの枠組みが組み込まれている。入出力機器のメーカーは、ＩＣＭ１．０やＣｏｌｏｒＳｙｎｃ２．０等に合わせたデバイスプロファイルをユーザに提供することで、表示装置の表示画像及びプリンタの印刷画像等のように、異なるデバイス間でもユーザに違和感を感じさせない画像を得ることができる。ＩＣＭ１．０やＣｏｌｏｒＳｙｎｃ２．０等に合わせたデバイスプロファイルは、国際色彩コンソーシアム（ＩＣＣ：Ｉｎｔｅｒｎａｔｉｏｎａｌ  Ｃｏｌｏｒ  Ｃｏｎｓｏｒｔｉｕｍ）が提唱しているＩＣＣプロファイルに準拠している。従って、入出力機器のメーカーは、ＩＣＣプロファイルの仕様に準じたプロファイルを提供することで、Ｗｉｎｄｏｗｓ環境のユーザも、Ｍａｃｉｎｔｏｓｈ環境のユーザも、同様にしてプロファイルを使用することで異なるデバイス間でもユーザに違和感を感じさせない画像を得ることができる。
【０００５】
【従来の技術】
従来の計算機環境でＣＭＳを行う際には、入出力機器の特性を保持する情報として、ＩＣＣプロファイルが一般的に用いられていた。図１は、ＩＣＣプロファイルの構成を説明する図である。ＩＣＣプロファイルでは、必要なデータが全てタグにより記述されている。図１に示すように、ＩＣＣプロファイルは、プロファイル自体の情報と対象入出力機器の情報を表すプロファイルヘッダと、どのような情報が格納されているかを示すタグテーブルと、実際に情報が格納されているタッグドエレメントデータとからなる。プロファイルヘッダは１２８バイトの固定長である。タグテーブルはタグ数ｎに対して（４＋１２ｎ）バイトの可変長であり、識別子、格納アドレス、サイズを含む。タッグドエレメントデータは、可変長データであり、入出力機器の特性を示す情報を保持する。
【０００６】
図２は、ＣＩＥＸＹＺ均等色空間を示す図であり、図３は、Ｒ，Ｇ，Ｂ各色の入出力特性を示す図である。図３中、縦軸は表示輝度を任意単位で示し、横軸は入力電圧を任意単位で示す。
入出力機器の一例としての表示装置の表示特性は、図２に示すようなＲ，Ｇ，Ｂ各色が最大値の色Ｒｍａｘ，Ｇｍａｘ，Ｂｍａｘ（白Ｗｍａｘ）のときのＣＩＥＸＹＺ値と、図３に示すようなＲ，Ｇ，Ｂ各色の入出力特性とがわかれば、把握することができる。図２に示すようなＲ，Ｇ，Ｂ各色のＣＩＥＸＹＺ値は人間の目で識別可能な色に関する色再現範囲ＣＲと呼ばれ、図３に示すようなＲ，Ｇ，Ｂ各色の入出力特性はγ特性と呼ばれる。
【０００７】
Ｒ，Ｇ，Ｂ各色のＣＩＥＸＹＺ値は、色再現範囲の情報として表示装置用のＩＣＣプロファイルのｒＸＹＺ，ｇＸＹＺ，ｂＸＹＺタグに格納されている。又、Ｒ，Ｇ，Ｂ各色の入力・出力のポイント値は、γ特性としてＩＣＣプロファイルのｒＴＲＣ，ｇＴＲＣ，ｂＴＲＣタグに格納されている。ＩＣＣプロファイルでは、タグ内のポイント数が０のとき、その色のγ係数が１．０であることを示され、ポイント数が１のときはγ係数の値そのものが格納されている。又、タグ内のポイント数が２以上のときは、その数だけの入力・出力のポイント値がＩＣＣプロファイルに格納されている。更に、ＩＣＣプロファイルには、表示装置の標準白色情報として白の最大値ＷｍａｘのときのＣＩＥＸＹＺ値がｗｔｐｔタグに格納されている。上記各タグは、図１に示すＩＣＣプロファイルにタッグエレメントデータとして格納されている。
【０００８】
このように、表示装置のＩＣＣプロファイルでは、上記の如き７種類の情報を格納するのが一般的である。これらの情報は、表示装置に色データを表示し、分光放射輝度計等の測色器で表示輝度やＣＩＥＸＹＺ値を測定することで得られる。
【０００９】
【発明が解決しようとする課題】
消費電力が高いプラズマディスプレイパネル（ＰＤＰ：Ｐｌａｓｍａ  Ｄｉｓｐｌａｙ  Ｐａｎｅｌ）等の表示装置では、消費電力を抑さえるために電力制御を行っている。つまり、例えば白が多い表示等の電力を多く消費する時にはＰＤＰに印加する印加電圧を減少させ、例えば暗い灰色や青が多い表示等の電力をあまり消費しない時には印加電圧を増加させて、暗い色程より明るく表示されるように印加電圧を制御している。このような電力制御を行っている表示装置では、青の表示輝度が白の表示輝度よりも明るいという測定結果が得られる場合もある。
【００１０】
図４及び図５は、表示装置上の実際の表示を測定した結果を示す図である。図４は、印加電圧の制御を行っている表示装置の測定結果を示し、図５は、印加電圧の制御を行っていない表示装置の測定結果を示す。具体的には、図４はＰＤＰの測定結果を示し、図５はＣＲＴの測定結果を示す。
図４に示す測定結果では、例えば赤のＸ値が白のＸ値より大きく、緑のＹ値が白のＹ値より大きい。他方、図５に示す測定結果では、Ｒ（Ｘ，Ｙ，Ｚ）＋Ｇ（Ｘ，Ｙ，Ｚ）＋Ｂ（Ｘ，Ｙ，Ｚ）＝Ｗ（Ｘ，Ｙ，Ｚ）が成立している。
【００１１】
表示装置では、加法混色が成立していることを前提に、色再現範囲情報や標準白色情報を用いるので、加法混色が成立しない図４に示すような測定結果からは表示装置のプロファイルを作成することはできないという問題があった。つまり、色再現範囲情報や標準白色情報は、同一条件の下で測定しなければならないが、上記の如き電力制御を行っている表示装置では、例えば印加電圧が勝手に制御されてしまい表示色によって印加電圧等の条件が変わってしまうため、同一条件下での測定が行われないために、測定結果からは表示装置のプロファイルを作成することができなかった。
【００１２】
又、ＰＤＰでは、その構造上、黒を表示したときでもわずかに発光することがある。これは、背面発光と呼ばれ、プロファイル作成の際に大きな誤差が生じてしまう原因となっている。
そこで、本発明は、電力制御等を行うユーザが同一条件を設定できないような表示装置であっても、表示装置上の表示の測定結果から表示装置のプロファイルを作成することが可能な情報処理装置、プロファイルデータ作成方法、表示装置及び記憶媒体を提供することを目的とする。
【００１３】
【課題を解決するための手段】
上記の課題は、基準色と少なくとも１つの測定するべき測定色とを同時に表示装置に表示する色表示手段を備えた情報処理装置によって達成できる。
情報処理装置は、前記表示装置上の表示を測定する測色手段と、該測色手段で測定された基準色と測定色とに基づいて該表示装置のプロファイルを生成するプロファイル生成手段とを更に備えても良い。
【００１４】
前記プロファイル生成手段は、前記測色手段で測定された基準色及び測定色の測定値の比に基づいて前記表示装置のプロファイルを生成しても良い。つまり、測定により得られる測定値ではなく、基準色に対する測定値の値、即ち、絶対値ではなく、相対値を用いて表示装置１０２の表示特性を得ることができる。
情報処理装置は、前記プロファイルを格納する格納手段を更に備えても良い。
【００１５】
本発明によれば、電力制御等を行うユーザが同一条件を設定できないような表示装置であっても、表示装置上の表示の測定結果から表示装置のプロファイルを作成することが可能となる。
前記色表示手段は、前記基準色及び前記測定色の表示位置を切り替えて前記表示装置上の所定位置に表示する制御手段を含んでも良い。
【００１６】
本発明によれば、各色の測定を所定位置で行うため、高精度なプロファイルを作成することができる。
上記の課題は、コンピュータに画像を表示させるプログラムを格納したコンピュータ読み取り可能な記憶媒体であって、コンピュータに、基準色と少なくとも１つの測定するべき測定色とを同時に表示装置に表示させる色表示手段を備えた記憶媒体によっても達成できる。
【００１７】
記憶媒体は、コンピュータに、前記表示装置上の表示を測定させる測色手段と、コンピュータに、測定された基準色と測定色とに基づいて該表示装置のプロファイルを生成させるプロファイル生成手段とを更に備えても良い。
前記プロファイル生成手段は、コンピュータに、前記測色手段で測定された基準色及び測定色の測定値の比に基づいて前記表示装置のプロファイルを生成させても良い。
【００１８】
記憶媒体は、コンピュータに、前記プロファイルを格納させる格納手段を更に備えても良い。
本発明によれば、電力制御等を行うユーザが同一条件を設定できないような表示装置であっても、表示装置上の表示の測定結果から表示装置のプロファイルを作成することが可能となる。
【００１９】
前記色表示手段は、コンピュータに、前記基準色及び前記測定色の表示位置を切り替えて前記表示装置上の所定位置に表示させる制御手段を含んでも良い。
上記の課題は、表示画面を備え、該表示画面上に基準色となる基準色票と、少なくとも１つの、前記基準色票とは異なる色の測定色票とを表示する表示装置によっても達成できる。
【００２０】
本発明によれば、電力制御等を行うユーザが同一条件を設定できないような表示装置であっても、表示装置上の表示の測定結果から表示装置のプロファイルを作成することが可能となる。
上記の課題は、入力色信号に対応する表示装置の表示特性を補正するプロファイルデータを作成するプロファイルデータ作成方法であって、前記表示装置の同一画面上に、基準色となる基準色票と、前記基準色票とは異なる色の測定色票とを表示するステップと、前記画面上から測定された前記基準色票の測定値と前記測定色票の測定値との比を算出するステップと、前記算出された測定値の比に基づいてプロファイルデータを作成するステップとを含むプロファイルデータ作成方法によっても達成できる。
【００２１】
前記表示するステップは、前記基準色票と前記測定色票とを同一の表示面積で表示しても良い。
又、プロファイルデータ作成方法は、測色しようとする前記基準色票又は前記測定色票を前記画面の特定位置に移動させるステップを更に含み、前記算出するステップは、前記特定位置に移動された色票の測定値に基づいて、前記基準色票の測定値と前記測定色票の測定値との比を算出しても良い。
【００２２】
本発明によれば、電力制御等を行うユーザが同一条件を設定できないような表示装置であっても、表示装置上の表示の測定結果から表示装置のプロファイルを作成することが可能となる。
上記の課題は、入力色信号に対応する表示装置の表示特性を補正するプロファイルデータを作成するプロファイルデータ作成方法であって、基準色となる基準色票の測定値と、前記基準色票とは異なる色の測定色票の測定値との相対値を算出するステップと、前記算出された相対値に基づいてプロファイルデータを作成するステップとを含むプロファイルデータ作成方法によっても達成できる。
【００２３】
本発明によれば、電力制御等を行うユーザが同一条件を設定できないような表示装置であっても、表示装置上の表示の測定結果から表示装置のプロファイルを作成することが可能となる。
従って、本発明によれば、電力制御等を行うユーザが同一条件を設定できないような表示装置であっても、表示装置上の表示の測定結果から表示装置のプロファイルを作成することが可能となる情報処理装置及び記憶媒体を実現できる。
【００２４】
【発明の実施の形態】
人間の目は、色を認識する際に、基準となる色と比較して見た色がどのような色味を持っているかを認識する。ＩＣＣプロファイルでも、標準白色を基準として、標準白色に対する相対値をプロファイル内に格納している。本発明では、このように、色特性を表すのに必ずしも色の測定値の絶対値は必要なく、基準色に対する相対値で色特性を表すことができることに着目している。
【００２５】
又、印加電圧等を自動的に制御する制御装置であっても、同一画面上では全て同じ条件で色表示を行っているため、同一画面上では色は図５に示すような加法混色の特性を有する。印加電圧の増減によって表示輝度が変わっても、基準色に対する相対値は一定となる。
従って、予め基準となる色を決めておき、その基準色と測定する測定色とを表示装置上に表示して、基準色に対する測定色の相対値を記録することで、表示装置の表示特性を得ることができる。特に、基準色票等を同時に表示することができる。
【００２６】
尚、基準色は、特定の色に限定されるものではないが、Ｒ，Ｇ，Ｂ等の各原色の輝度が最大となる白であることが望ましい。
以下、図６以降と共に、本発明の実施例を説明する。
【００２７】
【実施例】
図６は、本発明になる情報処理装置の第１実施例をを示す斜視図である。情報処理装置の本実施例は、本発明になる記憶媒体の第１実施例に格納されたプログラムに基づいて基準色票と少なくとも１つの測定するべき測定色とを同時に本発明になる表示装置の一実施例に表示させる。
【００２８】
図６に示すコンピュータシステム１００は、パーソナルコンピュータ等の汎用コンピュータシステムで構成されている。コンピュータシステム１００は、ＣＰＵやディスクドライブ等を内蔵した本体部１０１、本体部１０１からの指示により表示画面１０２ａ上に画像を表示する表示装置１０２、コンピュータシステム１００に種々の情報を入力するためのキーボード１０３、表示装置１０２の表示画面１０２ａ上の任意の位置を指定するマウス１０４、外部のデータベース等にアクセスして他のコンピュータシステムに記憶されているプログラム等をダウンロードするモデム１０５、測色器１１５等を備えている。測色器１１５は、駆動手段により上下左右方向へ移動可能であり表示画面１０２ａ上の各部に表示された色を測定する周知の構成を有する。ディスク１１０等の可搬型記録媒体に格納されるか、モデム１０５等の通信装置を使って他のコンピュータシステムの記録媒体１０６からダウンロードされるプログラムは、コンピュータシステム１００に入力されてコンパイルされる。このプログラムは、コンピュータシステム１００のＣＰＵに基準色票と少なくとも１つの測定するべき測定色とを同時に表示装置１０２に表示させる処理を行わせるプログラムを含む。
【００２９】
記憶媒体の本実施例は、上記プログラムを格納したディスク１１０等の記録媒体である。尚、記録媒体は、ＩＣカードメモリ、フロッピィディスク、光磁気ディスク、ＣＤ−ＲＯＭ、各種半導体メモリデバイス等の取り外し可能な記録媒体に限定されず、モデムやＬＡＮ等の通信装置や通信手段を介して接続されるコンピュータシステムでアクセス可能な記録媒体を含む。
【００３０】
図７は、コンピュータシステム１００の本体部１０１内の要部の構成を示すブロック図である。同図中、本体部１０１は、大略バス２００により接続されたＣＰＵ２０１と、ＲＡＭやＲＯＭ等からなるメモリ部２０２と、ディスク１１０用のディスクドライブ２０３と、ハードディスクドライブ２０４とからなる。表示装置１０２、測色器１１５等は、バス２００に接続されている。
【００３１】
尚、コンピュータシステム１００の構成は、図６及び図７に示す構成に限定されるものではなく、代わりに各種周知の構成を使用しても良い。
図８は、第１実施例におけるＣＰＵ２０１の動作を説明するフローチャートである。同図中、ステップＳ１は、基準色票と少なくとも１つの測定色とを同時に表示装置１０２の表示画面１０２ａ上に表示する。本実施例では、基準色票と複数の測定色とを同時に表示する。ステップＳ２は、測色器１１５により表示画面１０２ａ上に表示された基準色を測定して測定値を例えばメモリ部２０２に格納し、ステップＳ３は、測色器１１５により表示画面１０２ａ上に表示された測定色を測定して例えばメモリ部２０２に格納する。ステップＳ４は、表示画面１０２ａ上に表示された全ての測定色を測定したか否かを判定し、判定結果がＮＯであると処理はステップＳ３へ戻る。他方、ステップＳ４の判定結果がＹＥＳであると、処理は終了する。
【００３２】
図９は、本実施例において、ステップＳ１が、ＲＧＢ値（Ｒ，Ｇ，Ｂ）＝（２５５，２５５，２５５）である白を基準色として表示画面１０２ａの領域１１２に表示し、ＲＧＢ値（Ｒ，Ｇ，Ｂ）＝（０，０，０），（３２，０，０），（６４，０，０），．．．，（２５５，０，０）である階調が異なる９種類の赤を測定色として表示画面１０２ａの領域１２２−１に表示した場合を示す図である。この場合、ステップＳ２及びステップＳ３が、基準色である白と９種類の赤とを測定することで、表示装置１０２の赤の表示特性を得ることができる。
【００３３】
図１０は、本実施例において、ステップＳ１が、ＲＧＢ値（Ｒ，Ｇ，Ｂ）＝（２５５，２５５，２５５）である白を基準色として表示画面１０２ａの領域１１２に表示し、ＲＧＢ値（Ｒ，Ｇ，Ｂ）＝（０，０，０），（０，３２，０），（０，６４，０），．．．，（０，２５５，０）である９種類の緑を測定色として表示画面１０２ａの領域１２２−１に表示した場合を示す図である。この場合、ステップＳ２及びステップＳ３が、基準色である白と９種類の緑とを測定することで、表示装置１０２の緑の表示特性を得ることができる。
【００３４】
又、図９に示す表示画面１０２ａ上の表示を測定して得られた赤の基準色に対する測定値と、図１０に示す表示画面１０２ａ上の表示を測定して得られた緑の基準色に対する測定値とを比較することで、赤と緑の相関関係を得ることができる。又、赤と青の相関関係及び青と緑の相関関係も、同様にして得ることができる。このように、赤、緑及び青の３色について同様に測定及び比較を行うことで、表示装置１０２の表示特性を得ることができる。
【００３５】
本実施例では、表示装置１０２はカラー表示装置であり、測定色はカラーであるが、モノクロの表示装置の場合には測定色はグレーであっても良い。モノクロの表示装置の場合、基準色の白と濃淡の異なる複数のグレーとを表示して測定することで、モノクロの表示装置の表示特性を得ることができる。
尚、表示装置１０２がカラー表示装置であっても、Ｒ，Ｇ，Ｂの比が同一で輝度のみが異なるグレーを測定色として用いることができる。この場合、グレーを測定色として用い、一括してＲ，Ｇ，Ｂを測定することができる。
【００３６】
図１１は、本実施例において、ステップＳ１が、ＲＧＢ値（Ｒ，Ｇ，Ｂ）＝（２５５，２５５，２５５）である白を基準色として表示画面１０２ａの領域１１２に表示し、ＲＧＢ値（Ｒ，Ｇ，Ｂ）＝（０，０，０）〜（２５５，２５５，２５５）である表示装置１０２の表示特性を把握するのに必要な全ての色、即ち、夫々階調が異なる９種類の赤、９種類の緑、９種類の青及び９種類の所定色（例えば、グレー）を測定色として表示画面１０２ａの領域１２２−２に表示した場合を示す図である。この場合、ステップＳ２及びステップＳ３が、基準色である白と各９種類の赤、緑、青及び所定色とを測定することで、表示装置１０２の表示特性を得ることができる。
【００３７】
又、表示装置１０２の表示特性と他の表示装置の表示特性とを比較する場合には、互いの基準色の測定結果を比較すれば良い。
次に、本発明になる情報処理装置の第２実施例を説明する。情報処理装置の本実施例は、本発明になる記憶媒体の第２実施例に格納されたプログラムに基づいて基準色と少なくとも１つの測定するべき測定色とを同時に表示装置に表示させる。尚、本実施例の情報処理装置の構成は、上記第１実施例の場合と同じで良いため、その図示及び説明は省略する。
【００３８】
図１２は、第２実施例におけるＣＰＵ２０１の動作を説明するフローチャートである。同図中、図８と同一ステップには同一符号を付し、その説明は省略する。本実施例では、ステップＳ３とステップＳ４の間に、ステップＳ５が設けられている点が上記第１実施例と異なる。ステップＳ５は、基準色に対する各測定色の比を算出して例えばメモリ部２０２に格納する。本実施例では、ＣＩＥＸＹＺ等の色票の測定値ではなく、測定された各測定色の基準色に対する比のみを算出して格納する。これにより、表示装置１０２の表示特性はこの算出された比から得らる。このように測定値の比だけを保持することで、電力制御等の条件が不一致にかかわらず、色票のパターン自体が条件同一であれば、表示装置１０２の表示特性を観測することができ、表示特性を正確に把握することができる。
【００３９】
つまり、本実施例では、測定により得られる測定値ではなく、基準色に対する測定値、即ち、絶対値ではなく、相対値を用いて表示装置１０２の表示特性を得る。
図１３及び図１４は、本実施例により得られる各測定色の基準色に対する比を説明する図であり、例えば図１１に示すように、表示装置の画面に全ての色を一括して表示した場合に得られる実験データを示す。
【００４０】
図１３中、（ａ）は第１の表示装置について、測定した各色とその測定値、即ち、輝度値を示し、（ｂ）は第１の表示装置について、測定した各色の輝度値を基準値の測定結果で正規化した値の基準値に対する比を示す。
図１４中、（ａ）は第１の表示装置とは異なる第２の表示装置について、測定した各色とその測定値、即ち、輝度値を示し、（ｂ）は第２の表示装置について、測定した各色の輝度値を基準値の測定結果で正規化した値の基準値に対する比を示す。
【００４１】
図１３及び図１４からもわかるように、第１の表示装置と第２の表示装置とでは、表示色の明るさが表示装置の種別の違い又は表示形態の違いにより全く異なり、各色の測定値が全く異なる。しかし、本実施例のように、測定した各色の輝度値を基準値の測定結果で正規化した値の基準値に対する比を算出すると、第１の表示装置も第２の表示装置も同じ値を示すことがわかる。従って、図１３及び図１４に示す如き第１の表示装置及び第２の表示装置の場合、表示特性は同じであり、画像の色を同じように再現できることがわかる。
【００４２】
次に、本発明になる情報処理装置の第３実施例を説明する。情報処理装置の本実施例は、本発明になる記憶媒体の第３実施例に格納されたプログラムに基づいて基準色と少なくとも１つの測定するべき測定色とを同時に表示装置に表示させる。尚、本実施例の情報処理装置の構成は、上記第１実施例の場合と同じで良いため、その図示及び説明は省略する。
【００４３】
図１５は、第３実施例におけるＣＰＵ２０１の動作を説明するフローチャートである。同図中、図８と同一ステップには同一符号を付し、その説明は省略する。本実施例では、ステップＳ２とステップＳ３の間に、ステップＳ６が設けられている点が上記第１実施例と異なる。ステップＳ６は、測定する色の表示画面１０２ａ上の表示位置を切り替え、位置が切り替えられた測定色が測定される。ステップＳ４の判定結果がＮＯであると、処理はステップＳ６へ戻る。
【００４４】
図１６及び図１７は、表示位置の切り替えを説明する図である。ステップＳ２で基準色を測定する際には、図１６に示すように、基準色Ｒは領域１２１−３に表示され、測定色Ｍ１〜Ｍ３は領域１２２−３に表示される。ステップＳ６で表示位置が切り替えられると、図１７に矢印で示すように、基準色Ｒの表示位置は領域１２２−３内に切り替わり、最初に測定する測定色Ｍ１の表示位置は領域１２１−３内に切り替わる。従って、ステップＳ３で測定色Ｍ１を測定する際には、図１７に示すように、測定色Ｍ１は領域１２１−３内に表示されている。このようにして、測定する各色を表示画面１０２ａ上の同じ領域１２１−３に表示することにより、表示画面１０２ａ上の位置によって表示装置１０２の表示特性が異なってしまう面内バラツキが発生する場合でも、表示装置１０２の表示特性を正確に把握することができる。
【００４５】
又、領域１２１−３内に表示される基準色Ｒの面積と、各測定色Ｍ１〜Ｍ３の面積とは、同一であることが望ましい。各色の表示面積を同じに設定することにより、電力制御等の条件が一致しなくても、表示装置１０２の表示特性をより正確に把握することができる。つまり、表示領域を移動して行く場合、測定色の表示面積が移動に伴って変化してしまうと、電力制御により画面の全体的な輝度が変化してしまい、測定条件が変化してしまうため、各色の表示面積を、移動前、移動後に拘わらず同一にすることで、電力制御が起こらないようにする。即ち、特定色の面積が変化すると、その分画面全体の消費電力も変わってくるため、電力制御が行われる。尚、電力制御は、画面に表示されている各色毎に行われるのではなく、画面全体のその時点での消費電力を考慮して行われるのが通常である。
【００４６】
上記の如く、表示装置の表示特性は、図２に示すようなＲ，Ｇ，Ｂ各色が最大値の色Ｒｍａｘ，Ｇｍａｘ，ＢｍａｘのときのＣＩＥＸＹＺ値と、図３に示すようなＲ，Ｇ，Ｂ各色の入出力特性、即ち、γ特性とがわかれば、把握することができる。従って、表示装置のプロファイルを作成するためには、ｗｔｐｔ値、Ｒ，Ｇ，Ｂ各色が最大値の色Ｒｍａｘ，Ｇｍａｘ，ＢｍａｘのときのＣＩＥＸＹＺ値と、各色のγ特性とを把握しておく必要がある。
【００４７】
表示装置のプロファイルを作成するためには、下記の点での測定が考えられる。尚、測定数ｎを１以上とし、Ｒ，Ｇ，Ｂで測定数ｎを変えても良い。特に、各色のγ特性については、測定点が多い程測定結果が正確になる。
・赤の最大発光色ＲＧＢ値（Ｒ，Ｇ，Ｂ）＝（２５５，０，０）
・緑の最大発光色ＲＧＢ値（Ｒ，Ｇ，Ｂ）＝（０，２５５，０）
・青の最大発光色ＲＧＢ値（Ｒ，Ｇ，Ｂ）＝（０，０，２５５）
・白の最大発光色ＲＧＢ値（Ｒ，Ｇ，Ｂ）＝（２５５，２５５，２５５）
・ｎ点の赤の中間調色ＲＧＢ値（Ｒ，Ｇ，Ｂ）＝（ｒ１，０，０）（ｒ２，０，０）．．．（ｒｎ，０，０）
・ｎ点の緑の中間調色ＲＧＢ値（Ｒ，Ｇ，Ｂ）＝（０，ｇ１，０）（０，ｇ２，０）．．．（０，ｇｎ，０）
・ｎ点の青の中間調色ＲＧＢ値（Ｒ，Ｇ，Ｂ）＝（０，０，ｂ１）（０，０，ｂ２）．．．（０，０，ｂｎ）
電力制御等を行っている表示装置では、同一条件で表示装置上に表示された各色を測定することはできないので、例えばＣＩＥＸＹＺ値をそのままプロファイルに格納することはできない。これは、ＣＩＥＸＹＺ値が色を測定して直接得られる値であるからである。そこで、電力制御等を行っている表示装置に対しても正確なプロファイルを作成することのできる実施例を以下に説明する。
【００４８】
次に、本発明になる情報処理装置の第４実施例を説明する。情報処理装置の本実施例は、本発明になる記憶媒体の第４実施例に格納されたプログラムに基づいて基準色と少なくとも１つの測定するべき測定色とを同時に表示装置に表示させると共に、表示された基準色及び測定色を測定して表示装置のプロファイルを本発明になるプロファイルデータ作成方法の一実施例により作成する。尚、本実施例の情報処理装置の構成は、上記第１実施例の場合と同じで良いため、その図示及び説明は省略する。
【００４９】
図１８は、第４実施例におけるＣＰＵ２０１の動作を説明するフローチャートである。同図中、図８と同一ステップには同一符号を付し、その説明は省略する。本実施例では、ステップＳ３及びステップＳ４の間にステップＳ１１が設けられ、ステップＳ４の後にステップＳ１２〜ステップＳ１４が設けられている点が上記第１実施例と異なる。
【００５０】
ステップＳ２及びステップＳ３は、図９及び図１０に示す如く表示された基準色及び測定色を測定して測定値をメモリ部２０２に格納し、ステップＳ１１は、基準色の測定値に対する各測定色の測定値の比を算出してメモリ部２０２に格納する。例えば、上記の（３ｎ＋４）点を測定して各測定色の基準色に対する比を算出する。ステップＳ４の判定結果がＹＥＳであると、ステップＳ１２は、全ての基準色を測定したか否かを判定し、判定結果がＮＯであると、処理はステップＳ２へ戻る。つまり、複数の基準色と測定色の組み合わせが存在する場合には、全ての組み合わせについて上記ステップＳ２〜Ｓ４を繰り返す。ステップＳ１２の判定結果がＹＥＳであると、ステップＳ１３はステップＳ１１で算出された比に基づいて、表示装置１０２の表示特性、即ち、表示装置１０２のプロファイルに格納するべきデータを算出してメモリ部２０２に格納する。ステップＳ１４は、ステップＳ１３で算出されたデータに基づいて、表示装置１０２のプロファイルを作成してメモリ部２０２に格納し、処理は終了する。このようにして一連の処理を行うことで、表示装置１０２の電力制御等に影響されずに、表示装置１０２のプロファイルを作成することができる。
【００５１】
次に、本発明になる情報処理装置の第５実施例を説明する。情報処理装置の本実施例は、本発明になる記憶媒体の第５実施例に格納されたプログラムに基づいて基準色と少なくとも１つの測定するべき測定色とを同時に表示装置に表示させると共に、表示された基準色及び測定色を測定して表示装置のプロファイルを作成する。尚、本実施例の情報処理装置の構成は、上記第１実施例の場合と同じで良いため、その図示及び説明は省略する。
【００５２】
図１９は、第５実施例におけるＣＰＵ２０１の動作を説明するフローチャートである。同図中、図８及び図１８と同一ステップには同一符号を付し、その説明は省略する。本実施例では、ステップＳ３及びステップＳ４の間にステップＳ１１が設けられ、ステップＳ４の後にステップＳ１３及びステップＳ１４が設けられている点が上記第１実施例と異なる。
【００５３】
ステップＳ２及びステップＳ３は、図１１に示す如く表示された表示装置１０２のプロファイルを作成するのに必要な全ての基準色及び測定色を測定して測定値をメモリ部２０２に格納し、ステップＳ１１は、基準色の測定値に対する各測定色の測定値の比を算出してメモリ部２０２に格納する。ステップＳ４の判定結果がＹＥＳであると、本実施例の場合、プロファイルの作成に必要な色を全て１つの表示画面１０２ａ上に表示するため、複数の基準色を用いる必要がない。ステップＳ４の判定結果がＹＥＳであると、ステップＳ１３及びステップＳ１４の処理が行われ、処理は終了する。
【００５４】
次に、本発明になる情報処理装置の第６実施例を説明する。情報処理装置の本実施例は、本発明になる記憶媒体の第６実施例に格納されたプログラムに基づいて基準色と少なくとも１つの測定するべき測定色とを同時に表示装置に表示させると共に、表示された基準色及び測定色を測定して表示装置のプロファイルを作成する。尚、本実施例の情報処理装置の構成は、上記第１実施例の場合と同じで良いため、その図示及び説明は省略する。
【００５５】
図２０は、第６実施例におけるＣＰＵ２０１の動作を説明するフローチャートである。同図中、図１５及び図１８と同一ステップには同一符号を付し、その説明は省略する。本実施例では、ステップＳ３及びステップＳ４の間にステップＳ１１が設けられ、ステップＳ４の後にステップＳ１２〜ステップＳ１４が設けられている点が上記第３実施例と異なる。
【００５６】
ステップＳ２及びステップＳ３は、図１６及び図１７に示す如く表示されて切り替えられる基準色及び測定色を測定して測定値をメモリ部２０２に格納し、ステップＳ１１は、基準色の測定値に対する各測定色の測定値の比を算出してメモリ部２０２に格納する。その他の処理は、上記第４実施例の場合と同様である。表示装置１０２には面内バラツキが存在し、表示画面１０２ａ上の複数箇所を測定したのでは、面内バラツキの影響が作成される表示装置１０２のプロファイルに反映されてしまって、プロファイルの精度が低下してしまう場合もある。しかし、本実施例では、基準色も測定色も表示画面１０２ａ上の同じ位置に表示されて測定されるので、面内バラツキに影響されない高精度のプロファイルを作成することができる。
【００５７】
尚、上記第４〜第６実施例では、作成されたプロファイルがメモリ部２０２に格納されるものとして説明したが、メモリ部２０２に限定されず、ディスクドライブ２０３内のディスク１１０、ハードディスクドライブ２０４内のハードディスクや他の記憶手段に格納されても良い。
又、表示装置１０２の表示画面１０２ａ上に表示される基準色及び測定色の配置及び表示面積は、上記各実施例に限定されない。
【００５８】
次に、本発明になる情報処理装置の第７実施例を説明する。図２１は、本実施例におけるコンピュータシステム１００の本体部１０１内の構成を示す機能ブロック図である。
図２１において、基準色票保持部１には、図２２又は図２３に示す１つの色のみからなる基準色票１０２Ｒが保持されている。測定色票保持部２には、図２２に示す複数の色からなる測定色票１０２Ｍ−１又は図２３に示す複数の色からなる測定色票１０２Ｍ−２が保持されている。図２２では、測定色票１０２Ｍ−１は９色Ｃ１〜Ｃ９からなり、図２３では、測定色票１０２Ｍ−２は６色Ｃ１０〜Ｃ１５からなる。
【００５９】
色票表示部３は、基準色票１０２Ｒ及び測定色票１０２Ｍ−１又は１０２Ｍ−２を表示装置１０２の表示画面１０２ａに同時に表示する。測定部４は、測色器１１５を制御して、表示画面１０２ａに表示された色を測定する。図２２の場合、基準色票１０２Ｒ、測定色票１０２Ｍ−１内の色Ｃ１，Ｃ２，．．．，Ｃ９の順に順次測定する。又、図２３の場合、基準色票１０２Ｒ、測定色票１０２Ｍ−２内の色Ｃ１０，Ｃ１１，．．．，Ｃ１５の順に順次測定する。基準色票１０２Ｒの測定結果は基準値保持部５に保持され、測定色票１０２Ｍ−１又は１０２Ｍ−２の測定結果は一時測色値保持部６に保持される。
【００６０】
測定色票１０２Ｍ−１又は１０２Ｍ−２の測定後、基準値保持部５に保持された基準色票１０２Ｒの測定値と、測色値保持部６に保持された測定色票１０２Ｍ−１又は１０２Ｍ−２内の各色の測定値は測色比算出部７に送られる。測色比算出部７は、測定色票１０２Ｍ−１又は１０２Ｍ−２の基準色票１０２Ｒに対する比（測定比）を計算し、測色値保持部６に保持する。測定色票１０２Ｍ−１又は１０２Ｍ−２の測定が終わった後にもまだ測定するべき色が残っている場合には、新しい測定色票と先に用いたものと同じ基準色票１０２Ｒを表示画面１０２ａに表示する。
【００６１】
基準値更新部８は、新しい色票を表示する旨を指示すると共に、基準値保持部５に対して、先の基準色票１０２Ｒの測定値を棄却し、新たな測定結果を保持するよう基準値更新信号により指示する。基準値保持部５では、新しい測定色票が表示される毎に、基準値更新信号に応答して基準色票を測定し直した結果が保持される。
【００６２】
プロファイルの作成に必要な全ての色の測色が終わった後、プロファイルの作成に必要な全ての色の測定比をプロファイル作成部９に送る。プロファイル作成部９では、送られてきたデータに基づいて、表示装置１０２のプロファイルを作成する。このような処理を行うことで、電力制御等を行う等の理由で同一測定条件の下で測定できない表示装置においても、プロファイルを作成することができる。
【００６３】
尚、基準色票保持部１、測定色票保持部２、基準値保持部５及び測色値保持部６は、図７に示すメモリ部２０２、ディスクドライブ２０３及び／又はハードディスクドライブ２０４により構成できる。他方、色票表示部３、測定部４、測色比算出部７、基準値更新部８及びプロファイル作成部９は、図７に示すＣＰＵ２０１により構成できる。
【００６４】
次に、本発明になる情報処理装置の第８実施例を説明する。図２４は、本実施例におけるコンピュータシステム１００の本体部１０１内の構成を示す機能ブロック図である。同図中、図２１と同一部分には同一符号を付し、その説明は省略する。
本実施例では、図２１に示す基準値更新部８の代わりに、表示切替部１２が設けられている。この表示切替部１２は、図７に示すＣＰＵ２０１により構成できる。表示切替部１２は、図２５（ａ）〜（ｆ）の流れに示すように表示を行う。先ず、図２５（ａ）に示すように、基準色票１０２Ｒ−１と色Ｃ２１とを表示画面１０２ａに表示し、基準色票１０２Ｒ−１を測定する。次に、図２５（ｂ）に示すように、基準色票１０２Ｒ−１と色Ｃ２１の表示位置を切り替え、図２５（ａ）の測定と同じ位置で色Ｃ２１を測定する。次に、図２５（ｃ）に示すように、基準色票１０２Ｒ−１と色Ｃ２２とを表示画面１０２ａに表示し、基準色票１０２Ｒ−１を測定する。次に、図２５（ｄ）に示すように、基準色票１０２Ｒ−１と色Ｃ２２の表示位置を切り替え、図２５（ｃ）の測定と同じ位置で色Ｃ２２を測定する。次に、図２５（ｅ）に示すように、基準色票１０２Ｒ−１と色Ｃ２３とを表示画面１０２ａに表示し、基準色票１０２Ｒ−１を測定する。次に、図２５（ｆ）に示すように、基準色票１０２Ｒ−１と色Ｃ２３の表示位置を切り替え、図２５（ｅ）の測定と同じ位置で色Ｃ２３を測定する。
【００６５】
このように、本実施例では、測定位置は固定で、色票が順次入れ替わっている。表示装置１０２の表示位置によって表示特性が異なる面内バラツキが発生する場合があるが、本実施例では、電力制御等を行う等の理由で同一条件の下で測定できない表示装置１０２において面内バラツキの影響を受けない測定が可能となり、より高精度なプロファイルを作成することができる。
【００６６】
次に、本発明になる情報処理装置の第９実施例を説明する。図２６は、本実施例におけるコンピュータシステム１００の本体部１０１内の構成を示す機能ブロック図である。同図中、図２１と同一部分には同一符号を付し、その説明は省略する。
本実施例では、表示位置切替部２１が設けられている。この表示位置切替部２１は、図７に示すＣＰＵ２０１により構成できる。表示位置切替部２１は、図２７（ａ）〜（ｆ）の流れに示すように、基準色票１０２Ｒ−２と複数の色からなる複数個の測定色票Ｃ３１，Ｃ３２を順次切り替えて表示を行う。従って、基準色票１０２Ｒ−２と測定色票Ｃ３１，Ｃ３２を順次切り替えて表示して測定することで、上記第８実施例の場合と同様に、電力制御等を行う等の理由で同一条件の下で測定できない表示装置１０２において面内バラツキの影響を受けない測定が可能となり、より高精度なプロファイルを作成することができる。
【００６７】
次に、本発明になる情報処理装置の第１０実施例を説明する。図２８は、本実施例におけるコンピュータシステム１００の本体部１０１内の構成を示す機能ブロック図である。同図中、図２１と同一部分には同一符号を付し、その説明は省略する。
本実施例では、測定色票保持部２に保持されている色票に、プロファイルを作成するために測定しなければならない色全てを保持し、これらの色全てを同時に表示画面１０２ａに表示することで、基準値更新部８及び表示位置切替部２１を省略している。
【００６８】
本実施例は、上記第７〜第９実施例と比べると、回路規模を最も小さくできる。又、第８又は第９実施例のような、面内バラツキの影響を排除した高精度なプロファイルを作成するには、例えば第８実施例のように、表示切替部を設けることで対応できる。このような表示切替部を設けることで、図２９（ａ）〜（ｅ）に示すような流れで、プロファイルの作成に必要な色の測定を全て同じ位置で行えるため、高精度なプロファイルを作成可能となる。
【００６９】
尚、上記各実施例では、本発明が電力制御が行われる表示装置へ適用されているが、本発明はＣＲＴ等の電力制御が行われない表示装置への適用も勿論可能である。従って、本発明によるプロファイル作成用のプログラムは、電力制御が行われる表示装置と電力制御が行われない表示装置とに対して、共通に使用することができ、実用的である。
【００７０】
以上、本発明を実施例により説明したが、本発明は上記実施例に限定されるものではなく、本発明の範囲内で種々の変形及び改良が可能であることは言うまでもない。
【００７１】
【発明の効果】
本発明によれば、電力制御等を行うユーザが同一条件を設定できないような表示装置であっても、表示装置上の表示の測定結果から表示装置のプロファイルを作成することが可能となる情報処理装置及び記憶媒体を実現できる。同様に、背面発光が大きな表示装置であっても、背面発光の影響を除去したプロファイルを作成することができる。
【図面の簡単な説明】
【図１】ＩＣＣプロファイルの構成を説明する図である。
【図２】色再現範囲を説明する図である。
【図３】γ特性を説明する図である。
【図４】印加電圧の制御を行っている表示装置の測定結果を示す図である。
【図５】印加電圧の制御を行っていない表示装置の測定結果を示す図である。
【図６】本発明になる情報処理装置の一実施例を示す斜視図である。
【図７】図６に示す情報処理装置の要部を示すブロック図である。
【図８】第１実施例におけるＣＰＵの動作を説明するフローチャートである。
【図９】第１実施例において白を基準色として、９種類の赤を測定色として表示画面に表示した場合を示す図である。
【図１０】第１実施例において白を基準色として、９種類の緑を測定色として表示画面に表示した場合を示す図である。
【図１１】第１実施例において白を基準色として、表示特性を把握するのに必要な全ての色を測定色として表示画面に表示した場合を示す図である。
【図１２】第２実施例におけるＣＰＵの動作を説明するフローチャートである。
【図１３】第２実施例により得られる各測定色の基準色に対する比を説明する図である。
【図１４】第２実施例により得られる各測定色の基準色に対する比を説明する図である。
【図１５】第３実施例におけるＣＰＵの動作を説明するフローチャートである。
【図１６】第３実施例における表示位置の切り替えを説明する図である。
【図１７】第３実施例における表示位置の切り替えを説明する図である。
【図１８】第４実施例におけるＣＰＵの動作を説明するフローチャートである。
【図１９】第５実施例におけるＣＰＵの動作を説明するフローチャートである。
【図２０】第６実施例におけるＣＰＵの動作を説明するフローチャートである。
【図２１】第７実施例におけるコンピュータシステムの本体部内の構成を示す機能ブロック図である。
【図２２】第７実施例の動作を説明する図である。
【図２３】第７実施例の動作を説明する図である。
【図２４】第８実施例におけるコンピュータシステムの本体部内の構成を示す機能ブロック図である。
【図２５】第８実施例の動作を説明する図である。
【図２６】第９実施例におけるコンピュータシステムの本体部内の構成を示す機能ブロック図である。
【図２７】第９実施例の動作を説明する図である。
【図２８】第１０実施例におけるコンピュータシステムの本体部内の構成を示す機能ブロック図である。
【図２９】第１０実施例の動作を説明する図である。
【符号の説明】
１００      コンピュータシステム
１０２      表示装置
１０２ａ      表示画面
１１０      ディスク
１１５      測色器
２０１      ＣＰＵ
２０２      メモリ部
【図１】
0004136114.tif 000002
【図２】
0004136114.tif 000003
【図３】
0004136114.tif 000004
【図４】
0004136114.tif 000005
【図５】
0004136114.tif 000006
【図６】
0004136114.tif 000007
【図７】
0004136114.tif 000008
【図８】
0004136114.tif 000009
【図９】
0004136114.tif 000010
【図１０】
0004136114.tif 000011
【図１１】
0004136114.tif 000012
【図１２】
0004136114.tif 000013
【図１３】
0004136114.tif 000014
【図１４】
0004136114.tif 000015
【図１５】
0004136114.tif 000016
【図１６】
0004136114.tif 000017
【図１７】
0004136114.tif 000018
【図１８】
0004136114.tif 000019
【図１９】
0004136114.tif 000020
【図２０】
0004136114.tif 000021
【図２１】
0004136114.tif 000022
【図２２】
0004136114.tif 000023
【図２３】
0004136114.tif 000024
【図２４】
0004136114.tif 000025
【図２５】
0004136114.tif 000026
【図２６】
0004136114.tif 000027
【図２７】
0004136114.tif 000028
【図２８】
0004136114.tif 000029
【図２９】
0004136114.tif 000030